(57)【特許請求の範囲】
【請求項１】
スタンプ押し具の購入者を撮影するためのカメラと、
このカメラの撮影により得られた撮影画像データに基づいてスタンプ用の画像データを作成する画像データ処理手段と、
この画像データ処理手段によって作成された画像データを印判にプリント出力することにより製版を行うプリンタと、
上記プリンタによって製版された印判およびこの印判を用いたスタンプ押し具を構成する他のスタンプ部品を装置外部に払い出すスタンプ部品払出し手段と、
を具備することを特徴とする、スタンプ押し具の払出し装置。
【請求項２】
上記プリンタは、サーマルヘッドを有するサーマルプリンタであるとともに、上記印判は、上記サーマルヘッドによって加熱された部分が非加熱部分とは相違するインク透過領域またはインク不透過領域となるものである、請求項１に記載のスタンプ押し具の払出し装置。
【請求項３】
上記スタンプ押し具は、上記印判を支持するとともに上記印判の背面側にインク充填室を形成するベース部材、インクを収容したインク容器、上記ベース部材を支持可能なホルダ部材、および上記印判の版面をカバーするための蓋体を具備している、請求項１または２に記載のスタンプ押し具の払出し装置。
【請求項４】
上記ベース部材によって支持された印判と、これ以外の他のスタンプ部品とは個別に準備されており、かつ上記スタンプ部品払出し手段は、上記印判を複数収容しておくための第１ストッカと、上記他のスタンプ部品を複数収容しておくための第２ストッカとを具備し、上記第１ストッカおよび第２ストッカから上記印判と他のスタンプ部品との組み合わせセットを１セットずつ払い出すように構成されている、請求項３に記載のスタンプ押し具の払出し装置。
【請求項５】
所定のプログラムデータを記憶する記憶手段と、スタンプ押し具の購入者がスイッチ操作を行うための操作手段と、この操作手段の操作と上記記憶手段に記憶されているプログラムデータとに基づいて上記カメラ、画像データ処理手段、プリンタ、およびスタンプ部品払出し手段のそれぞれを制御する制御手段とを具備している、請求項１ないし４のいずれかに記載のスタンプ押し具の払出し装置。
【請求項６】
データの画面表示出力が可能な表示手段を具備しており、かつ上記制御手段は、スタンプ押し具の購入者に対して上記操作手段のスイッチ操作を案内するデータを上記表示手段で画面表示させる制御を行うように構成されている、請求項５に記載のスタンプ押し具の払出し装置。
【請求項７】
上記制御手段は、上記カメラによってスタンプ押し具の購入者の撮影を所定間隔で複数回連続して実行させるとともに、上記カメラの撮影によって得られた複数の撮影画像データを上記表示手段に画面表示させる制御を実行し、その後上記画面表示された複数の撮影画像のうち上記操作手段の操作によって選択されたいずれか１つの撮影画像のデータを上記画像データ処理手段によって処理させるように構成されている、請求項６に記載のスタンプ押し具の払出し装置。
【請求項８】
上記記憶手段には、スタンプの背景画像作成用の複数種類の画像データが記憶されており、かつ上記制御手段は、上記記憶手段に記憶されている背景画像作成用の複数種類の画像データを上記表示手段に画面表示させるとともに、その後上記画面表示された複数の画像データのうち上記操作手段の操作によって選択されたいずれかの画像データを上記撮影画像データに基づいて作成された画像データと合成させる処理を上記画像データ処理手段に実行させるように構成されている、請求項６または７に記載のスタンプ押し具の払出し装置。
【請求項９】
上記記憶手段には、文字作成用のデータが記憶されており、かつ上記制御手段は、上記記憶手段に記憶されている文字作成用のデータを上記表示手段に画面表示させるとともに、その後上記操作手段によって所定の文字作成操作がなされたときにはそれに対応する作成文字のデータを上記撮影画像データに基づいて作成された画像データと合成させる処理を上記画像データ処理手段に実行させるように構成されている、請求項６ないし８のいずれかに記載のスタンプ押し具の払出し装置。
【請求項１０】
上記スタンプ部品としては、インクの色彩が相違する複数種類のものが準備されており、かつ上記制御手段は、インクの色彩の種類を示すデータを上記表示手段に画面表示させるとともに、その後上記操作手段によって所定の選択操作がなされたときにはそれに対応する色彩のインクを備えたスタンプ部品が上記スタンプ部品払出し手段によって払い出される制御を実行するように構成されている、請求項６ないし９のいずれかに記載のスタンプ押し具の払出し装置。
【請求項１１】
音声データの出力が可能な音声データ出力手段を具備しており、かつ上記制御手段は、スタンプ押し具の購入者に対して上記操作手段のスイッチ操作を案内するデータを上記音声データ出力手段から音声出力させる制御を行うように構成されている、請求項５ないし１０のいずれかに記載のスタンプ押し具の払出し装置。
【請求項１２】
データの画面表示出力が可能な表示手段と、
スタンプ画像作成用の複数のデータを記憶する記憶手段と、
スタンプ押し具の購入者がスイッチ操作を行うための操作手段と、
上記記憶手段に記憶されているスタンプ画像作成用の複数のデータを上記表示手段に画面表示させるとともに、これら画面表示された複数のデータのうち、上記操作手段の操作によって選択されまたは作成されたデータに基づいてスタンプ用の画像データを作成するデータ処理手段と、
このデータ処理手段によって作成された画像データを印判にプリント出力して製版を行うプリンタと、
上記プリンタによって製版された印判およびこの印判を用いたスタンプ押し具の他のスタンプ部品を装置外部に払い出すスタンプ部品払出し手段と、
を具備していることを特徴とする、スタンプ押し具の払出し装置。
【発明の詳細な説明】
【０００１】
【技術分野】
本願発明は、オリジナル性の高いスタンプ押し具を払い出すためのスタンプ押し具の払出し装置に関する。
【０００２】
【発明の背景】
周知のとおり、スタンプ押し具としては、たとえば各種のイベントを案内するためのもの、事務用や学習用のもの、あるいは記念用のものなど、種々のデザインのものが、従来より製造され、販売されている。そして、近年においては、それら以外のスタンプ押し具として、若年層の女性を中心に、スケジュール帳や交換日記などに使用できるいわゆる可愛いデザインのものや、趣向性を凝らした特徴のあるデザインの印影を捺印可能なものも数多く製造され販売されている。
【０００３】
しかしながら、上記従来のスタンプ押し具は、その印影のデザインがスタンプ押し具メーカーによって勝手に創作されたものにすぎず、しかも大量かつ画一的に販売されている。このため、スタンプ押し具の需要者、とくに若年層の女性にとっては、従来のスタンプ押し具は、オリジナル性やプレミア性が少ないものとなっており、趣向性に欠け、商品価値が少ないものとなっていた。
【０００４】
なお、従来では、オリジナル性の高いシールを購入者に提供するシール払出し装置が提案されている。このシール払出し装置は、シール購入者の容姿をカメラによって撮影し、この撮影によって得られた画像データをシール表面に印刷し、購入者に払い出すように構成されたものである。しかしながら、この装置によって提供される商品は、スタンプ押し具ではなく、シールにすぎない。したがって、上記シール払出し装置によっては、スタンプ押し具のオリジナル性やプレミア性を高め、その商品価値を高めるといった効果は期待できない。
【０００５】
本願発明は、上記の点に鑑みて考え出されたものであって、購入者にとってオリジナル性やプレミア性が高いスタンプ押し具を簡易かつ適切に提供できるようにすることをその課題としている。
【０００６】
【発明の開示】
本願発明は、上記課題を解決するため、次の技術的手段を講じている。
【０００７】
本願発明の第１の側面によれば、スタンプ押し具の払出し装置が提供される。このスタンプ押し具の払出し装置は、スタンプ押し具の購入者を撮影するためのカメラと、このカメラの撮影により得られた撮影画像データに基づいてスタンプ用の画像データを作成する画像データ処理手段と、この画像データ処理手段によって作成された画像データを印判にプリント出力することにより製版を行うプリンタと、上記プリンタによって製版された印判およびこの印判を用いたスタンプ押し具を構成する他のスタンプ部品を装置外部に払い出すスタンプ部品払出し手段と、を具備することに特徴づけられる。
【０００８】
本願発明においては、スタンプ押し具の購入者の容姿をカメラで撮影すると、その撮影画像データに基づいて画像データ処理手段がスタンプ用の画像データを作成し、この画像データがプリンタによって印判にプリント出力されることにより製版がなされる。そして、この製版された印判およびこの印判を用いたスタンプ押し具を構成する他のスタンプ部品が装置外部に払い出されることとなる。このようにして払い出されたスタンプ押し具は、スタンプ押し具の購入者の容姿に基づいて処理された画像をその印影とするものであるから、オリジナル性やプレミア性が非常に高く、商品価値の高いものとなる。
【０００９】
本願発明の好ましい実施の形態では、上記プリンタは、サーマルヘッドを有するサーマルプリンタであるとともに、上記印判は、上記サーマルヘッドによって加熱された部分が非加熱部分とは相違するインク透過領域またはインク不透過領域となるものである構成とすることができる。
【００１０】
このような構成によれば、印判の表面のうち、サーマルヘッドによって感熱された部分がインク透過領域またはインク不透過領域となってサーマルヘッドによって加熱されていない部分とは相違することとなるために、サーマルプリンタによって所定の画像データを上記印判表面にプリント出力するだけで、簡単に製版作業が行えることとなる。
【００１１】
本願発明の他の好ましい実施の形態では、上記スタンプ押し具は、上記印判を支持するとともに上記印判の背面側にインク充填室を形成するベース部材、インクを収容したインク容器、上記ベース部材を支持可能なホルダ部材、および上記印判の版面をカバーするための蓋体を具備している構成とすることができる。
【００１２】
このような構成によれば、インク容器のインクをインク充填室に充填するとともに、製版された印判を支持するベース部材をホルダ部材に支持させることによって、スタンプインク内蔵のスタンプ押し具を簡単に組み立てて製作することが可能となる。また、このようにして組み立てられたスタンプ押し具に蓋体を装着すれば、この蓋体によって上記印判の版面をカバーすることができ、不使用時の取扱いに際して便利となる。
【００１３】
本願発明の他の好ましい実施の形態では、上記ベース部材によって支持された印判と、これ以外の他のスタンプ部品とは個別に準備されており、かつ上記スタンプ部品払出し手段は、上記印判を複数収容しておくための第１ストッカと、上記他のスタンプ部品を複数収容しておくための第２ストッカとを具備し、上記第１ストッカおよび第２ストッカから上記印判と他のスタンプ部品との組み合わせセットを１セットずつ払い出すように構成されている。
【００１４】
このような構成によれば、印判と他のスタンプ部品とを複数ずつ準備して、これらを第１ストッカや第２ストッカに収容させておけば、上記印判と他のスタンプ部品とを１組ずつ順次払い出していくことができる。したがって、複数のスタンプ押し具を１つずつ順次払い出してゆく作業が円滑化される。
【００１５】
本願発明の他の好ましい実施の形態では、所定のプログラムデータを記憶する記憶手段と、スタンプ押し具の購入者がスイッチ操作を行うための操作手段と、この操作手段の操作と上記記憶手段に記憶されているプログラムデータとに基づいて上記カメラ、画像データ処理手段、プリンタ、およびスタンプ部品払出し手段のそれぞれを制御する制御手段とを具備している構成とすることができる。
【００１６】
このような構成によれば、記憶手段に記憶された所定のプログラムデータと、スタンプ押し具の購入者が行うスイッチ操作とに基づいて、制御手段がスタンプ押し具の払出し装置の各部を適切に制御し、スタンプ押し具の払出し動作を円滑かつ的確に行うことが可能となる。
【００１７】
本願発明の他の好ましい実施の形態では、データの画面表示出力が可能な表示手段を具備しており、かつ上記制御手段は、スタンプ押し具の購入者に対して上記操作手段のスイッチ操作を案内するデータを上記表示手段で画面表示させる制御を行うように構成されている。
【００１８】
このような構成によれば、スタンプ押し具の購入者が行うべき操作手段のスイッチ操作の内容が表示手段に画面表示させることができるために、スタンプ押し具の購入者はその表示画面を見ながら、所定のスイッチ操作を的確に行うことが可能となる。
【００１９】
本願発明の他の好ましい実施の形態では、上記制御手段は、上記カメラによってスタンプ押し具の購入者の撮影を所定間隔で複数回連続して実行させるとともに、上記カメラの撮影によって得られた複数の撮影画像データを上記表示手段に画面表示させる制御を実行し、その後上記画面表示された複数の撮影画像のうち上記操作手段の操作によって選択されたいずれか１つの撮影画像のデータを上記画像データ処理手段によって処理させるように構成されている。
【００２０】
このような構成によれば、スタンプ押し具の購入者は、カメラによる撮影を終了した後、表示手段に画面表示される自己の複数の撮影画像データを実際に見ることにより、それら複数の撮影画像データのうち、自己が最も良いと思う１つの撮影画像データを操作手段の操作によって選択することができ、この選択された撮影画像データに基づいて処理される印判を備えたスタンプ押し具を得ることができる。したがって、スタンプ押し具の購入者は、複数回の撮影によって得られた画像データのうち、最も気に入った画像データに基づいて得られる印判のスタンプ押し具を手に入れることが可能となり、好ましいものとなる。
【００２１】
本願発明の他の好ましい実施の形態では、上記記憶手段には、スタンプの背景画像作成用の複数種類の画像データが記憶されており、かつ上記制御手段は、上記記憶手段に記憶されている背景画像作成用の複数種類の画像データを上記表示手段に画面表示させるとともに、その後上記画面表示された複数の画像データのうち上記操作手段の操作によって選択されたいずれかの画像データを上記撮影画像データに基づいて作成された画像データと合成させる処理を上記画像データ処理手段に実行させるように構成されている。
【００２２】
このような構成によれば、カメラの撮影によって得られた撮影画像データを処理した画像データが印判にプリント出力されるだけではなく、これに加えて、スタンプ押し具の購入者が予め選択した背景画像のデータについても、上記印判にプリント出力される。したがって、スタンプ押し具のオリジナル性を一層高めることが可能なる。
【００２３】
本願発明の他の好ましい実施の形態では、上記記憶手段には、文字作成用のデータが記憶されており、かつ上記制御手段は、上記記憶手段に記憶されている文字作成用のデータを上記表示手段に画面表示させるとともに、その後上記操作手段によって所定の文字作成操作がなされたときにはそれに対応する作成文字のデータを上記撮影画像データに基づいて作成された画像データと合成させる処理を上記画像データ処理手段に実行させるように構成されている。
【００２４】
このような構成によれば、カメラの撮影によって得られた撮影画像データを処理した画像データが印判にプリント出力されるのに加え、スタンプ押し具の購入者が予め選択して作成した文字のデータについても上記印判のプリント出力することができる。したがって、やはりスタンプ押し具のオリジナル性を一層高めることが可能となる。
【００２５】
本願発明の他の好ましい実施の形態では、上記スタンプ部品としては、インクの色彩が相違する複数種類のものが準備されており、かつ上記制御手段は、インクの色彩の種類を示すデータを上記表示手段に画面表示させるとともに、その後上記操作手段によって所定の選択操作がなされたときにはそれに対応する色彩のインクを備えたスタンプ部品が上記スタンプ部品払出し手段によって払い出される制御を実行するように構成されている。
【００２６】
このような構成によれば、予め準備されたインクの色彩が相違する複数種類のスタンプ部品のうち、スタンプ押し具の購入者が操作手段のスイッチ操作によって予め選択したものが払い出されることとなる。したがって、印判にプリント出力される画像データにオリジナル性があるだけではなく、それに付随してインクの色彩についても購買者が任意に選択可能となり、スタンプ押し具の購入者のニーズに、より対応したものとすることができる。
【００２７】
本願発明の他の好ましい実施の形態では、音声データの出力が可能な音声データ出力手段を具備しており、かつ上記制御手段は、スタンプ押し具の購入者に対して上記操作手段のスイッチ操作を案内するデータを上記音声データ出力手段で音声出力させる制御を行うように構成されている。
【００２８】
このような構成によれば、スタンプ押し具の購入者が行うべき操作手段のスイッチ操作内容が音声として出力されるために、スタンプ押し具の購入者はその音声を聞くことにより、的確に所定のスイッチ操作を行うことが可能となる。したがって、スタンプ押し具の払出しを円滑に行うことができる。
【００２９】
本願発明の第２の側面によれば、スタンプ押し具の払出し装置が提供される。このスタンプ押し具の払出し装置は、データの画面表示出力が可能な表示手段とスタンプ画像作成用の複数のデータを記憶する記憶手段と、スタンプ押し具の購入者がスイッチ操作を行うための操作手段と、上記記憶手段に記憶されているスタンプ画像作成用の複数のデータを上記表示手段に画面表示させるとともに、これら画面表示された複数のデータのうち、上記操作手段の操作によって選択されまたは作成されたデータに基づいてスタンプ用の画像データを作成するデータ処理手段と、このデータ処理手段によって作成された画像データを印判にプリント出力して製版を行うプリンタと、上記プリンタによって製版された印判およびこの印判を用いたスタンプ押し具の他のスタンプ部品を装置外部に払い出すスタンプ部品払出し手段とを具備していることを特徴としている。
【００３０】
本願発明においては、記憶手段に記憶され、かつ表示手段に画面表示されるスタンプ画像作成用の複数のデータからスタンプ押し具の購入者が選択したデータ、あるいはスタンプ押し具の購入者が作成したデータに基づいて、スタンプ用の画像データが作成され、この画像データがプリンタによって印判にプリント出力され、製版される。そして、その製版された印判およびこの印判を用いたスタンプ押し具の他のスタンプ部品が払い出されることとなる。この場合には、本願発明の第１の側面とは異なり、スタンプ押し具の購入者の撮影画像を処理した画像は印判にはプリント出力されていないものの、その印判にプリント出力された画像データは購入者が独自に選択し、または作成したものであり、やはりオリジナル性やプレミア性の高いものとすることができる。
【００３１】
【発明の実施の形態】
以下、本願発明の好ましい実施の形態について、図面を参照しつつ具体的に説明する。
【００３２】
説明の便宜上、本実施形態に係るスタンプ押し具の払出し装置によって払い出される商品の一例について、先に説明する。すなわち、本実施形態に係るスタンプ押し具の払出し装置では、図１に示すように、ベース部材１０に支持された印判１と、これら以外の他のスタンプ部品を紙箱２３を用いてパッケージングしたパッケージ２４とが払い出される。
【００３３】
上記印判１は、製版処理されてから払い出されるものであり、合成樹脂製などのベース部材１０の片面に接着されている。図２に示すように、上記印判１は、熱溶融性を有する多孔質の発泡樹脂製シート（ポーラスラバー）によって形成されており、その厚み方向にインクを透過させることが可能である。ただし、上記印判１は、後述するプリンタ４７のサーマルヘッド４７ａによって、その表面が加熱されると、図３に示すようにその加熱部分の気泡が封鎖され、インク不透過領域１１となる。これに対し、上記インク不透過領域１１以外の部分は、インク透過領域１２となり、所望の印影を捺印可能なスタンプ用の判となる。上記ベース部材１０は、上記印判１の背面側にインク充填室２８を形成する箱状であり、このインク充填室２８に充填されたインクを印判１へ浸透させるための孔部１３を多数有している。したがって、図３に示すように製版処理された印判１は、インク充填室２８からこの印判１に浸透したインクを、インク透過領域１２のみから印判１の外面側へ透過させることとなり、これがスタンプの印影となる。
【００３４】
図４に示すように、上記パッケージ２４は、紙箱２３内にスタンプホルダ２０を収容したものであり、またそれ以外として、インク容器２５や説明書２６も上記紙箱２３に収容されている。この説明書２６は、いわゆるセットものとして払い出されたスタンプ押し具の構成部品を組み立てるための手順や使用方法などを説明したものである。上記スタンプホルダ２０は、図５に示すように、ホルダ本体２１と蓋体２２とを具備して構成されており、上記ホルダ本体２１は、一側面が開口した箱型状であり、また購入者が保持し易いように把持用のリング２７が設けられている。上記蓋体２２は、上記ホルダ本体２１に嵌合装着可能である。上記インク容器２５としては、インクの色彩が異なる複数種類のものが準備されている。このインク容器２５は、上記スタンプホルダ２０を紙箱２３内に予め収容させておくときには、上記スタンプホルダ２０内に収容させておけばよい。
【００３５】
上記各種のスタンプ部品は、図６ないし図８に示すようにして、組み立てられる。まず、図６に示すように、製版処理が終了した印判１のベース部材１０のインク充填室２８内に、インク容器２５内に収容されているインクを充填する。次いで、図７に示すように、インクが充填された印判１のベース部材１０をホルダ本体２１に嵌合装着する。これによって、スタンプを捺印可能なスタンプ押し具Ａが実質的に構成される。上記ベース部材１０をホルダ本体２１に嵌合させれば、これらの各部材の把持が容易となるばかりか、インク充填室２８の片側開口部をホルダ本体２１によって閉塞することができ、インク充填室２８内のインクが外部へ不当に漏れることを防止することができる。また、上記スタンプ押し具Ａは、図８に示すように、蓋体２２をホルダ本体２１または印判１に嵌合装着させることにより、印判１の版面（表面）を上記蓋体２２によってカバーすることができる。したがって、上記スタンプ押し具の不使用時においては、上記蓋体２２の使用により、インキの乾燥、あるいは携帯時において印判１の表面に残存するインクが衣服類などに付着する虞れを解消することができ、便利となる。
【００３６】
図９は、本願発明に係るスタンプ押し具の払出し装置Ｂの一例を示す斜視図である。図１０は、図９に示すスタンプ押し具の払出し装置Ｂの概略構成を示す説明図である。図１１は、図９に示すスタンプ押し具の払出し装置Ｂの概略の回路構成を示すブロック図である。
【００３７】
図９に示すように、このスタンプ押し具の払出し装置Ｂは、全体形状が略直方体状に形成された筐体７の正面部に、サイドライトなどの照明具４３、モニタ画面部７０、操作部４４、コイン投入口７５、メンテナンス用の扉体７４、およびスタンプ取出口７３を設けている。また、上記筐体７の上部には、アーム７１を取付けて、このアーム７１によってバックシート７２が支持されている。このバックシート７２は、スタンプ押し具の購入者をカメラで撮影するときの背景となるものであり、撮影画像の背景を無地とすることにより、その後の撮影画像の画像処理が容易となる。
【００３８】
図１１に示すように、上記スタンプ押し具の払出し装置Ｂは、パーソナルコンピュータ３、カメラ４０、ＣＲＴ４１、プリンタ４７、スピーカＳＰ、および制御盤３Ａを具備している。また、この制御盤３Ａには、上記操作部４４や照明具４３が接続されているのに加え、ストロボランプ４２、コインカウンタ４５、メンテナンスパネル部４６、印判ベンダー５、およびスタンプホルダベンダー６が接続されている。
【００３９】
上記パーソナルコンピュータ３は、プロセサ３０、ＲＯＭ３１、ＲＡＭ３２、インタフェース３３、およびゲートアレイ３４をバス接続したものであり、上記ゲートアレイ３４にはハードディスク装置３５とスピーカＳＰとが接続されている。上記ＲＯＭ３１、ＲＡＭ３２、およびハードディスク装置３５の記憶手段には、スタンプ押し具の払出し動作を実行するのに必要なプログラムデータや各種のデータが記憶されており、プロセサ３０はこれらのデータや操作部４４のスイッチ操作の内容に応じて各部の動作制御やデータ処理を実行する。上記記憶手段に記憶されているデータとしては、後述するようにＣＲＴ４１に画面表示される各種の画像データや、カメラ４０の撮影によって得られた撮影画像データに基づいて似顔絵的なスタンプ用の画像データを作成するための画像処理用のプログラムデータなどがある。また、制御盤３Ａとのデータ伝送を行うためのデータ伝送制御用のプログラムデータなどもある。
【００４０】
上記カメラ４０は、スタンプ押し具の購入者を撮影するためのものであり、上記パーソナルコンピュータ３のインタフェース３３に接続されており、プロセサ３０によって制御される。このカメラ４０は、図１０に示すように、モニタ画面部７０の背面側に設けられたハーフミラー７６のさらに後方へ配置されている。このカメラ４０は、ハーフミラー７６に対して直接対向配置させてもよい。ただし、本実施形態では、ハーフミラー７６の後方に、モニタ画面部７０に対して４５°の角度で傾斜する反射ミラー７７をさらに設けた上で、この反射ミラー７７にカメラ４０を対向させている。このような設定によれば、モニタ画面部７０の前方に立つ購入者をカメラで撮影するときに、反射ミラー７７によって反射されて左右反転された購入者の画像を撮影することができ、その後の撮影画像のデータ処理をＣＲＴ４１に映しだす処理やスタンプ押し具の購入者がカメラ撮影の位置決めなどを行う上で便利となる。
【００４１】
上記ＣＲＴ４１は、パーソナルコンピュータ３のインタフェース３３に接続されており、プロセサ３０によって制御される。このＣＲＴ４１は、上記ハーフミラー７６の下方に配置されており、このＣＲＴ４１で映し出された画像がハーフミラー７６を介してモニタ画面部７０方向へ反射され、これがスタンプ押し具の購入者に見えるようになっている。上記スピーカＳＰは、パーソナルコンピュータ３のゲートアレイ３４に接続されており、プロセサ３０によって駆動制御される。このスピーカＳＰは、スタンプ押し具の購入者に対して操作部４４のスイッチ操作の内容を音声で伝えたり、あるいはＢＧＭなどを流すのに使用される。上記プリンタ４７は、パーソナルコンピュータ３のインタフェース３３に接続されており、プロセサ３０によって駆動制御される。このプリンタ４７は、上記図２において説明したサーマルヘッド４７ａを具備するサーマルプリンタとして構成されており、プロセサ３０によって処理された所定の画像データを印判１の表面にプリント出力可能なように、後述する所定位置に設けられている。
【００４２】
上記制御盤３Ａは、パーソナルコンピュータ３による各部の動作制御を補助するためのものである。すなわち、たとえば汎用のパーソナルコンピュータによってストロボランプ４２を直接オン・オフ制御させることは難しいが、制御盤３Ａはそのような制御を補助するための機能を有するものであり、この制御盤３Ａを用いることにより、上記パーソナルコンピュータ３としては汎用のものを使用することができる。上記制御盤３Ａは、ＲＯＭやＲＡＭなどの記憶手段を備えたＣＰＵを有するものであり、プロセサ３０から送信されてくる制御コマンドの内容に応じて、この制御盤３Ａに接続されているストロボランプ４２やその他の各部の動作制御を実行する。上記制御盤３Ａおよびパーソナルコンピュータ３が、本願発明にいう制御手段の一例に相当するものである。また、上記パーソナルコンピュータ３のプロセサ３０は、スタンプ用の画像データを作成するデータ処理も実行するものであり、本願発明でいう画像データ処理手段の一例に相当する。むろん、本願発明にいう制御手段や画像データ処理手段はこれに限定されず、パーソナルコンピュータを用いることなく、他の手段によって各部の動作制御やデータ処理を実行させるようにしてもよい。
【００４３】
上記ストロボランプ４２は、カメラ４０によってスタンプ押し具の購入者を撮影するときにその購入者に光を照射するランプである。上記操作部４４は、スタンプ押し具の購入者が操作するための各種の操作スイッチを具備して構成されており、たとえばＣＲＴ４１の表示画面に表示されるカーソルを上下左右方向に移動させるためのジョイスティックなどの操作レバー４４ａや、カーソルの移動により選択した内容を決定するための決定スイッチ４４ｂなどが設けられている（図９参照）。上記コインカウンタ４５は、コイン投入口７５から投入されたコインの種別を判別し、そのカウントを行う機能を具備しており、予め定められたコインがこのコインカウンタ４５によってカウントされることにより、プロセサ３０はスタンプ押し具の払出し動作に必要な所定の動作制御を開始することとなる。上記メンテナンスパネル部４６は、この払出し装置Ｂのメンテナンスを行う上で必要な表示ランプやスイッチ類などを種々具備する部位である。
【００４４】
図１２は、印判ベンダー５およびスタンプホルダベンダー６のそれぞれを示す要部正面断面図である。図１３は、図１２の要部平面断面図である。
【００４５】
本願発明にいうスタンプ部品払出し手段は、本実施形態においては、上記印判ベンダー５とスタンプホルダベンダー６とを組み合わせて構成されている。上記図１２および図１３に示すように、上記印判ベンダー５は、第１ストッカ５０、動作体５１、および枠体５２を具備して構成されている。上記第１ストッカ５０は、上下方向に延びる複数枚のガイド板５８によって１または複数の収容空間部５７を形成したものであり、この収容空間部５７内には複数個の印判１が上下に積み重ねられて収容される。上記動作体５１は、上記第１ストッカ５０の底部開口部５０ａを塞ぐ支持板部５１ａと、この支持板部５１ａの側方に設けられた凹部５１ｂとを有しており、上記第１ストッカ５０の下方において矢印Ｎ１方向に往復動自在である。この動作体５１の往復動は、図示していないモータ、あるいはシリンダなどの駆動によってなされる。
【００４６】
上記動作体５１は、通常時においては、図１２に示すように、支持板部５１ａが第１ストッカ５０の底部開口部５０ａを塞いでおり、第１ストッカ５０から印判１が下方へ落下するのを防止している。これに対し、印判１を取り出すときには、図１４に示すように、上記動作体５１は、凹部５１ｂが第１ストッカ５０の下部開口部５０ａの下方に位置するように移動する。このような動作がなされると、第１ストッカ５０内の最下層の印判１が凹部５１ｂ内に落下投入されることとなる。動作体５１は、このようにして印判１を受け取った後には、その後同図矢印Ｎ２方向に移動し、もとの初期位置に復帰する。上記動作体５１が初期位置に存在するときの凹部５１ｂの上方には、プリンタ４７が配置されており、上記動作体５１によって第１ストッカ５０からの印判１の取り出しがなされると、その後上記プリンタ４７によって上記印判１の表面への所定の画像データのプリント出力がなされる。
【００４７】
上記枠体５２は、上記動作体５１の凹部５１ｂを囲むように設けられており、図１４で説明したように、上記凹部５１ｂ内に印判１が落下投入されたときにその印判１が凹部５１ｂから不用意に脱落するのを防止する役割を果たす。またこれに加え、上記枠体５２は、プリンタ４７による印判１への所定の画像データのプリント出力が終了した後には、図１５に示すように、印判１を動作体５１の一側方へ移動させるように、矢印Ｎ３方向に移動する。上記枠体５２は、その底部が開口しており、上記した枠体５２の移動動作により、上記印判１は印判ベンダー５の一側方に設けられるシュータ５９上へ排出され、スタンプ取出口７３へ供給される。上記枠体５２の矢印Ｎ３方向の移動動作およびその復帰動作は、やはりモータやシリンダを用いて行わせることができる。
【００４８】
上記スタンプホルダベンダー６は、第２ストッカ６０と複数のプッシャ６１とを具備して構成されている。上記第２ストッカ６０は、上下方向に沿う複数枚のガイド板６８によって内部に複数列の収容空間部６７を形成したものであり、各収容空間部６７の内部には、図４および図５において説明したスタンプホルダ２０のパッケージ２４が収容される。スタンプホルダ２０としては、たとえばインクの色彩がブラック、ピンク、ブルー、オレンジ、およびグリーンの各色の計５種類のものが準備されており、これら計５種類のスタンプホルダは、そのインクの種類ごとにまとめられて同一列の収容空間部６７内に上下に積層して収容されている。上記第２ストッカ６０の下方には、支持板６２が固定して設けられており、上記第２ストッカ６０からパッケージ２４が下方へ落下することが防止されている。
【００４９】
上記複数のプッシャ６１は、上記第２ストッカ６０の複数の収容空間部６７のそれぞれの背面側に配されており、モータあるいはシリンダなどの駆動により、図１３の矢印Ｎ４方向に往復動自在である。図１６に示すように、上記各プッシャ６１は、第２ストッカ６０のガイド板６８の背板６３の下方に設けられた開口部６３ａを通過して収容空間部６７内に進入可能であり、この進入動作によって、収容空間部６７の最下層に位置するパッケージ２４を第２ストッカ６０の外部へ排出させることが可能である。このようにして排出されたパッケージ２４は、その後シュータ５９ａによってガイドされ、スタンプ取出口７３に供給されることとなる。
【００５０】
次に、上記構成のスタンプ押し具の払出し装置Ｂの作用、およびパーソナルコンピュータ３のプロセサ３０の一連の処理手順について、図１７ないし図１９に示すフローチャートを参照しつつ説明する。ただし、図１７ないし図１９に示すフローチャートでは、スピーカＳＰを利用した音声メッセージのステップについては、便宜上、その説明を省略している。
【００５１】
まず、上記スタンプ押し具の払出し装置Ｂが使用されていないときには、プロセサ３０は、ＣＲＴ４１にデモ画面を表示させる（Ｓ１）。このデモ画面は、たとえば図２０に示すように、スタンプ押し具の購入者に対してお金の投入を催促する旨の文字やその他の装飾的な画像を表示するものである。次いで、予め定められた金額のコインがコイン投入口７５から投入されると（Ｓ２：ＹＥＳ）、プロセサ３０は、払出し対象となるスタンプ押し具の種類を購入者に選択させるためのコース選択用の画面をＣＲＴ４１に表示させる（Ｓ３）。この画面表示は、たとえば図２１に示すような画面とされる。払出し対象となるスタンプ押し具の種類としては、購入者の似顔絵を作成する「似顔絵コース」と、似顔絵を作成することなくオリジナルデザインのスタンプ押し具を作成する「非似顔絵コース」とがある。また、このようなコース選択は、画面表示されたカーソルＣの位置を操作レバー４４ａの操作によって移動させ、かつ決定スイッチ４４ｂを押圧操作するによって、任意に選択できるように構成されている。このような操作手順は、以降に行う種々の画面選択操作についても同様である。一方、購入者が、予め定められた一定期間内に操作部４４の操作をしない場合には（Ｓ１４：ＹＥＳ）、プロセサ３０は、カーソルＣが設定されているコースを自動的に選択することとなる（Ｓ１５）。図２１に示すように、カーソルＣは、購入者が選択し易いように、「似顔絵コース」と「非似顔絵コース」とのいずれかのコースに初期設定されている。したがって、たとえばカーソルＣが「似顔絵コース」に初期設定されている場合には、この似顔絵コースがプロセサ３０によって自動選択されることとなる。また、購入者に操作部４４の操作を促す手段として、プロセサ３０は、購入者に対してスイッチ操作をする旨の音声メッセージや、一定時間が経過するまでの残り時間をカウントダウンする音声を、スピーカＳＰから出力させる制御も実行する。
【００５２】
上記プロセサ３０の自動選択により、あるいは購入者のスイッチ操作により「似顔絵コース」が選択された場合には（Ｓ５：ＹＥＳ）、プロセサ３０は、その後ＣＲＴ４１にたとえば図２２に示すような画面表示を行わせる。この画面表示は、「似顔絵コース」のうち、「文字入力コース」と「文字非入力コース」とを選択させるための画面表示であり、やはり購入者が操作部４４を操作してカーソルＣを所望のコースに設定することにより、購入者がいずれかのコースを選択することができる。操作部４４のスイッチ操作が一定期間なされないときには、やはりプロセサ３０によってカーソルＣが設定されているコースが自動的に選択されることとなる。プロセサ３０による自動選択により、あるいは購入者のスイッチ操作によって「文字入力コース」が選択された場合には（Ｓ６：ＹＥＳ）、プロセサ３０はその旨を記憶させておくためのフラグをセットする（Ｓ７）。
【００５３】
このようにして、スタンプ押し具のコース選択が終了した後には、プロセサ３０は、ＣＲＴ４１に、似顔絵の背景となる背景図柄を選択させるための画面表示を行わせる（Ｓ８）。この背景図柄の選択画面の表示は、たとえば図２３に示すように、様々なデザインの背景図柄を表示させることにより行う。この背景図柄の選択も、画面に表示されたカーソルＣを操作部４４の操作によって移動させることにより行うことができる。また、一定期間内にスイッチ操作がない場合には（Ｓ９：ＮＯ）、カーソル設定されている背景図柄をプロセサ３０が自動的に選択することとなる（Ｓ１６：ＹＥＳ，Ｓ１７）。上記背景図柄の選択が終了すると、プロセサ３０は、その後ＣＲＴ４１に撮影用の位置決めフレームを画面表示させる（Ｓ１０）。この画面表示は、たとえば図２４に示すように、購入者の顔の位置決めを図るための枠状のフレームＤを画面表示させるものであり、このフレームＤを画面表示させているときに、カメラ４０を駆動させて購入者の顔を撮影し、かつその撮影した画像ＥをＣＲＴ４１によって表示させることにより、購入者は上記位置決めフレームＤと自分の顔の画像Ｅとの位置関係を知ることができ、カメラ４０によって適切に顔を撮影できるようにポジショニングできることとなる。上記位置決めフレームＤとしては、単なる枠状のフレームデザインとしてもよいが、これに代えて、たとえば先に選択した背景図柄をそのまま位置決めフレームとして用いてもかまわない。
【００５４】
上記プロセサ３０は、上記撮影用の位置決めフレームＤを画面表示させた後には、その後一定時間経過後に、所定時間間隔で第１回から第４回のカメラ撮影動作制御、およびストロボ点灯駆動制御を実行する（Ｓ１１）。この撮影時においては、上記図２４に示すように撮影までの残り時間を表示する画面Ｇ１を表示させたり、あるいは撮影残回数を表示画面Ｇ２を表示させるといったことを行うこともできる。上記カメラ撮影が終了すると、プロセサ３０は、その後上記第１回から第４回の撮影により得られた計４種類の撮影画像のデータをＣＲＴ４１に画面表示させる（Ｓ１２）。この画面表示は、たとえば図２５に示すような態様で行うことができる。したがって、この表示画面を見た購入者は、自己の撮影画像を見ることにより、自己が最も気に入った内容の撮影画像を選択することが可能となる。その選択は、やはり購入者が操作部４４を操作してカーソルＣを移動させることにより行うことができ、またそのような操作がなされないときには、プロセサ３０がカーソル設定されている撮影画像を自動的に選択することとなる（Ｓ２５）。
【００５５】
上記撮影画像の選択がなされると、プロセサ３０は、選択された撮影画像の画像データ処理を複数種類実行する（Ｓ２６）。この画像データ処理は、たとえば撮影された購入者の顔の輪郭を強調したり、購入者の目鼻立ちをデフォルメし、あるいは単純化するなどして、購入者の顔立ちの特徴を掴んだ似顔絵を作成する処理であり、その似顔絵は種々のパターンに作成することができる。プロセサ３０は、このようにして得られた似顔絵としての複数種類の画像データをＣＲＴ４１に画面表示させる（Ｓ２７）。この画面表示は、たとえば図２６のようにしてなされ、やはり表示された複数種類の処理画像Ｇ３〜Ｇ６のうちいずれか１つをカーソルＣの移動により任意に選択できるようになっている。上記処理画像のいずれかを選択するスイッチ操作がなされ（Ｓ２８：ＹＥＳ）、あるいはプロセサ３０によっていずれか１つの処理画像が自動選択されると（Ｓ３８）、その後プロセサ３０は、フラグを参照する（Ｓ２９）。先に「文字入力コース」が選択されている場合には、上記フラグはセットされており（Ｓ２９：ＹＥＳ）、この場合には、プロセサ３０は、ＣＲＴ４１に文字入力用のデータを画面表示させる（Ｓ４１）。この画面表示は、たとえば図２６に示すように、文字や数字などの一覧、あるいは単語類などを表示するものであり、これらのうちから所定の文字や単語類をカーソルＣによって選択できるようになっている。
【００５６】
文字入力用のデータの選択が操作部４４のスイッチ操作によってなされ（Ｓ４２：ＹＥＳ）、あるいはプロセサ３０によって自動的になされた場合には（Ｓ４４）、その後プロセサ３０は、ＣＲＴ４１にスタンプのインクの色を選択するための画面表示を行わせる（Ｓ３０）。また、この画面表示は、先に「文字入力コース」が選択されておらず、フラグがセットされていないときには（Ｓ２９：ＮＯ）、上記フラグの参照後において即座になされる。この画面表示は、たとえば図２８に示すように、インクの色を具体的に表示することによって行われ、このインクの色の選択も上記同様に操作部４４のスイッチ操作によるカーソルＣの移動、あるいはプロセサ３０によって自動的になされる（Ｓ３１：ＹＥＳ，Ｓ４０）。このようにしてインクの色が選択された後には、プロセサ３０は、ＣＲＴ４１にスタンプ製作中の旨の画面表示を行わせる（Ｓ３２）。この画面表示は、たとえば図２９に示すような画面表示内容とすることができる。この画面表示は、スタンプ押し具の払い出しを待つ購入者の退屈を少なくするのに役立つ。
【００５７】
上記画面表示を実行させた後には、プロセサ３０は、プリンタ４７の駆動により印判１に画像データをプリント出力させて製版を行う処理（Ｓ３３）、および製版が終了した印判１と先に選択されたインクの色のスタンプホルダ２０のパッケージ２４とをスタンプ取出口７３に払い出す動作制御を実行する（Ｓ３４）。これらの処理は、プロセサ３０から制御盤３Ａに制御コマンドを送信し、制御盤３Ａがその制御コマンドの内容に応じて印判ベンダー５やスタンプホルダベンダー６を動作させることにより実行される。また、プロセサ３０がプリンタ４７を動作制御することによっても実行される。
【００５８】
具体的には、先の図１２ないし図１６に示したように、まず印判ベンダー５が第１ストッカ５０内に収容されている印判１を１つ取り出し、この取り出された印判１の表面にプリンタ４７によって所定の処理画像をプリント出力することにより、製版処理がなされる。印判１の表面にプリント出力される画像は、購入者の撮影画像を処理して得られた似顔絵の画像データと背景図柄の画像データとが合成されたものである。また、「文字入力コース」を選択している場合には、選択された文字の画像データがさらに追加されて合成される。印判ベンダー５は、上記製版処理が終了した後は、上記印判１をスタンプ取出口７３へ排出させる動作を実行する。一方、スタンプホルダベンダー６は、第２ストッカ６０から、選択された色彩のインクを収容したスタンプホルダ２０のパッケージ２４をスタンプ取出口７３に排出させる。
【００５９】
上記一連の動作手順は、「似顔絵コース」が選択された場合であるが（Ｓ５：ＹＥＳ）、これとは異なり、「非似顔絵コース」が選択された場合には（Ｓ５：ＮＯ）、プロセサ３０は、カメラ４０による購入者の撮影動作制御や、このカメラ撮影によって得られた撮影画像のデータ処理を実行させることなく、スタンプの作成処理を制御する。具体的には、「非似顔絵コース」のうち「文字入力コース」が選択されているときには（Ｓ１８：ＹＥＳ）、所定のフラグをセットし（Ｓ１９）、ＣＲＴ４１に図柄選択の画面表示を行わせる（Ｓ２０）。これに対し、「文字入力コース」が選択されていない場合には（１８：ＮＯ）、フラグをセットすることなく、ＣＲＴ４１に図柄選択の画面表示を行わせる（Ｓ２０）。この図柄選択画面表示は、スタンプの図柄を画面表示するものであり、種々の図柄が表示される。この図柄は、やはり操作部４４のスイッチ操作により選択することが可能であり、また操作部４４の操作がなされないときには、プロセサ３０によって自動的に選択されることとなる（Ｓ２１：ＹＥＳ，Ｓ２３）。そして、その後のプロセサ３０の処理手順については、上記「似顔絵コース」において説明した動作手順と同様に、ステップＳ２９〜Ｓ３５、およびＳ３９〜Ｓ４４の処理動作がなされる。
【００６０】
このように、結局、上記一連の動作によれば、種々のデザイン要素を組み合わせたオリジナル性の高いスタンプ押し具が払い出されることとなり、とくに「似顔絵コース」を選択したときには、購入者自身の容姿が似顔絵化された印影を捺印可能なスタンプ押し具が提供される。したがって、上記スタンプ押し具は、若年の女性層などの購入者にとっては非常に趣向性が高いものとなる。
【００６１】
上記実施形態では、ＣＲＴ４１に種々の画像を表示することによって、スタンプ押し具を製作するための一連のスイッチ操作を購入者にガイドさせるようにしているが、このようなスイッチ操作のガイドは、スピーカＳＰからスイッチ操作の方法を知らせる音声メッセージを出力させることによって、ＣＲＴ４１の画面表示と並行して、あるいは単独で行わせることが可能である。
【００６２】
なお、本願発明に係るスタンプ押し具の払出し装置の具体的な構成は、上記実施形態に限定されない。
【００６３】
たとえば、上記実施形態では、別々に準備された印判と他のスタンプ部品のパッケージとを１組のセットとして払い出しているが、本願発明はこれに限定されない。本願発明では、たとえば既にスタンプ押し具として組み立てられて完成されたものを払い出すようにしてかまわない。また、上記実施形態では、印判として、サーマルヘッドによって加熱された部分がインク不透過領域となるものを用いたが、本願発明はやはりこれに限定されず、たとえばサーマルヘッドによって加熱された部分がインク透過領域となる印判を用いてもかまわない。むろん、この場合には、サーマルヘッドによって加熱されていない部分は、インク不透過領域である必要がある。さらに、上記実施形態では、似顔絵コースと非似顔絵コースとを任意に選択できるようにしたが、やはりこれに限定されず、本願発明に係るスタンプ押し具の払出し装置は、似顔絵コースのみが実行されるものとして、あるいは非似顔絵コースのみが実行されるものとして構成されていてもかまわない。
【図面の簡単な説明】
【図１】本願発明に係るスタンプ押し具の払出し装置によって払い出される商品の一例を示す外観斜視図である。
【図２】印判の一例を示す断面図である。
【図３】印判に製版処理を施した状態の一例を示す断面図である。
【図４】図１に示すパッケージの内容物を示す斜視図である。
【図５】スタンプホルダの一例を示す分解斜視図である。
【図６】印判の裏面にインクを充填する作業を示す斜視図である。
【図７】印判とスタンプホルダとを組み合わせてスタンプ押し具を作成する作業を示す斜視図である。
【図８】スタンプ押し具に蓋体を装着した状態を示す斜視図である。
【図９】本願発明に係るスタンプ押し具の払出し装置の一例を示す斜視図である。
【図１０】図９に示すスタンプ押し具の払出し装置の概略構成を示す説明図である。
【図１１】図９に示すスタンプ押し具の払出し装置の概略の回路構成を示すブロック図である。
【図１２】印判ベンダーおよびスタンプホルダベンダーのそれぞれを示す要部正面断面図である。
【図１３】図１２の要部平面断面図である。
【図１４】印判ベンダーの動作状態を示す要部正面断面図である。
【図１５】印判ベンダーの動作状態を示す要部平面断面図である。
【図１６】スタンプホルダベンダーの動作状態を示す要部側面断面図である。
【図１７】本願発明に係るスタンプ押し具の払出し装置に組み込まれているプロセサの一連の動作処理手順を示すフローチャートである。
【図１８】本願発明に係るスタンプ押し具の払出し装置に組み込まれているプロセサの一連の動作処理手順を示すフローチャートである。
【図１９】本願発明に係るスタンプ押し具の払出し装置に組み込まれているプロセサの一連の動作処理手順を示すフローチャートである。
【図２０】ＣＲＴに表示される画面の一例を示す説明図である。
【図２１】ＣＲＴに表示される画面の他の例を示す説明図である。
【図２２】ＣＲＴに表示される画面の他の例を示す説明図である。
【図２３】ＣＲＴに表示される画面の他の例を示す説明図である。
【図２４】ＣＲＴに表示される画面の他の例を示す説明図である。
【図２５】ＣＲＴに表示される画面の他の例を示す説明図である。
【図２６】ＣＲＴに表示される画面の他の例を示す説明図である。
【図２７】ＣＲＴに表示される画面の他の例を示す説明図である。
【図２８】ＣＲＴに表示される画面の他の例を示す説明図である。
【図２９】ＣＲＴに表示される画面の他の例を示す説明図である。
【符号の説明】
１  印判
３  パーソナルコンピュータ
３Ａ  制御盤
５  印判ベンダー
６  スタンプホルダベンダー
１０  ベース部材
２０  スタンプホルダ
２１  ホルダ本体
２２  蓋体
２３  紙箱
２４  パッケージ
２５  インク容器
２８  インク充填室
３０  プロセサ
３１  ＲＯＭ
３２  ＲＡＭ
３５  ハードディスク装置
４０  カメラ
４１  ＣＲＴ
４４  操作部
４７  プリンタ
４７ａ  サーマルヘッド
５０  第１ストッカ
６０  第２ストッカ
ＳＰ  スピーカ
Ａ  スタンプ押し具
Ｂ  スタンプ押し具の払出し装置
【図１】
0004012277.tif 000002
【図２】
0004012277.tif 000003
【図３】
0004012277.tif 000004
【図４】
0004012277.tif 000005
【図５】
0004012277.tif 000006
【図６】
0004012277.tif 000007
【図７】
0004012277.tif 000008
【図８】
0004012277.tif 000009
【図９】
0004012277.tif 000010
【図１０】
0004012277.tif 000011
【図１１】
0004012277.tif 000012
【図１２】
0004012277.tif 000013
【図１３】
0004012277.tif 000014
【図１４】
0004012277.tif 000015
【図１５】
0004012277.tif 000016
【図１６】
0004012277.tif 000017
【図１７】
0004012277.tif 000018
【図１８】
0004012277.tif 000019
【図１９】
0004012277.tif 000020
【図２０】
0004012277.tif 000021
【図２１】
0004012277.tif 000022
【図２２】
0004012277.tif 000023
【図２３】
0004012277.tif 000024
【図２４】
0004012277.tif 000025
【図２５】
0004012277.tif 000026
【図２６】
0004012277.tif 000027
【図２７】
0004012277.tif 000028
【図２８】
0004012277.tif 000029
【図２９】
0004012277.tif 000030